(57)【特許請求の範囲】
【請求項１】
ルームランプと天井トリムとに設けられた仮固定手段と、前記ルームランプと車体の天井骨組とに設けられた本固定手段と、を備え、
前記仮固定手段により前記ルームランプと前記天井トリムとが相互に仮固定され、前記本固定手段により前記ルームランプと前記天井骨組とが相互に本固定されることにより、前記天井骨組に前記ルームランプと前記天井トリムとが同時に固定されるルームランプの固定構造において、
前記本固定手段は、前記ルームランプに設けられたスプリング及びストッパーと、前記天井骨組みに設けられた貫通孔であり前記スプリング及び前記ストッパーを挿入するための切り込み部と、前記切り込み部に挿入された前記スプリングが前記切り込み部から抜けないように固定する固定部とからなり、
前記スプリングは、
略水平方向に延びた板状の埋設部と、
前記埋設部の片端から、くの字形状に折り曲げられて斜め上方に延びた第１弾性変形部と、
前記第１弾性変形部の斜め上方に延びた側の先端から逆Ｕ字形状に折り曲げられて斜め下方に延びた第２弾性変形部と、
前記第２弾性変形部の斜め下方に延びた側の先端から前記第１弾性変形部の方向に、くの字形状に曲げられて略水平に延びた爪部と、
前記爪部の略水平方向に延びた側の先端から、くの字形状に曲げられて下方に延びた部分であって、前記第１弾性変形部及び前記第２弾性変形部を弾性変形させるための力が加えられる部分である操作部と、を有し、
前記ストッパーは、前記埋設部の上方に位置し、
前記爪部が、前記固定部に弾性係合当接することにより前記ルームランプと前記天井骨組とが相互に本固定され、
前記第１弾性変形部は、前記スプリングの通常状態乃至前記爪部が前記固定部に弾性係合当接した状態の第１状態と、前記スプリングが前記ストッパーに当たった状態の第２状態との間を、第１支点を回動中心として弾性変形し、
前記第２弾性変形部は、前記第２状態から第２支点を回動中心として前記第１弾性変形部の方向に回動することにより、前記スプリングの大きさが前記切り込み部に対して出し入れ可能なサイズにまで小さくなった状態である第３状態に弾性変形し、
前記第２弾性変形部は、前記第３状態から前記第２状態にも弾性変形し、
前記爪部の下面に前記固定部が弾性係合当接した状態において、前記爪部の下方には前記爪部と前記固定部との間の位置ずれを吸収するために前記固定部が存在しない、クリアランスが設けられている、
ことを特徴とするルームランプの固定構造。
【請求項２】
前記本固定手段のスプリングは、ホルダ部、コネクタターミナル部、固定接点部、配線部、シェード部、反射板部と一体に、前記ルームランプのランプハウジングにインサート成形されており、
前記スプリングは、インサート成形前においては、前記ホルダ部、コネクタターミナル部、固定接点部、配線部、シェード部、反射板部の各部品のうちの任意のものと一体に弾性及び導電性を有する金属板に構成されていて、インサート成形後に前記金属板を構成している前記各部品及び前記スプリングが、それぞれ分割形成される、ことを特徴とする請求項１に記載のルームランプの固定構造。
【請求項３】
前記本固定手段は、前記ルームランプの対角線上に２個設けられている、ことを特徴とする請求項１に記載のルームランプの固定構造。
【請求項４】
前記天井トリムには、前記ルームランプ収容用の凹部が設けられており、前記ルームランプのランプハウジングの周辺部のパーティングライン上には、前記凹部の周辺部に当接する当接爪が設けられている、ことを特徴とする請求項１に記載のルームランプの固定構造。
【請求項５】
前記天井トリムには、前記ルームランプ収容用の凹部が設けられており、前記ルームランプのランプハウジングには、前記凹部の底部に弾性当接して前記仮固定手段による前記ルームランプと前記天井トリムとの相互仮固定状態を確固とする弾性当接部が設けられている、ことを特徴とする請求項１に記載のルームランプの固定構造。
【請求項６】
前記仮固定手段は、前記ルームランプに一体に設けられた係合爪と、前記天井トリムに設けられた係合部と、前記係合爪と前記係合部との間に設けられた位置ずれ吸収用のクリアランスと、からなり、前記係合爪が前記係合部に係合することにより前記ルームランプと前記天井トリムとが相互に係合される、ことを特徴とする請求項１に記載のルームランプの固定構造。
【請求項７】
前記本固定手段及び前記仮固定手段は、前記ルームランプの切替操作ノブ近傍に設けられている、ことを特徴とする請求項１に記載のルームランプの固定構造。
【発明の詳細な説明】
【０００１】
【発明の属する技術分野】
本発明は、車体の天井骨組に天井トリムとルームランプとを同時に固定することができ、自動車の組立ラインにおける組立（固定）作業の工数の低減化が図られるルームランプの固定構造に係り、特に、ルームランプ及び天井トリムの天井骨組に対する取付、取り外しが簡単であり、本固定手段の寸法誤差を吸収できるルームランプの固定構造に関するものである。
【０００２】
【従来の技術】
従来のルームランプの固定構造は、一般に、天井トリムと車体の天井骨組とを固定する天井トリム固定手段と別個に、ルームランプと天井骨組とを固定するルームランプ固定手段がルームランプと天井骨組とに設けられている。
上述のルームランプの固定構造によるルームランプの固定作業は、自動車の組立ラインにおいて、まず、天井トリム固定手段により車体の天井骨組に天井トリムを固定し、次に、その天井骨組にルームランプを上述のルームランプ固定手段により固定するものである。
【０００３】
【発明が解決しようとする課題】
ところが、上述の従来のルームランプの固定構造は、天井トリム固定手段と別個に、ルームランプと天井骨組とを固定するルームランプ固定手段から構成されているものであるから、自動車の組立ラインにおいて、天井トリム固定手段による天井骨組と天井トリムとの固定作業と、ルームランプ固定手段による天井骨組とルームランプとの固定作業とがそれぞれ別個に行なわれるので、自動車の組立ラインにおける組立作業の工数の面で課題がある。
【０００４】
そこで、本出願人は、車体の天井骨組に天井トリムとルームランプとを同時に固定することができ、自動車の組立ラインにおける組立（固定）作業の工数の低減化が図られるルームランプの固定構造（特願平１１−２０７８００号）を先に出願した。
本発明は、上述のルームランプの固定構造の改良に係り、その目的とするところは、ルームランプ及び天井トリムの天井骨組に対する取付、取り外しが簡単であり、本固定手段の寸法誤差を吸収できるルームランプの固定構造を提供することにある。
【０００５】
【課題を解決するための手段】
本発明は、上記の目的を達成するために、
ルームランプと天井トリムとに設けられた仮固定手段と、前記ルームランプと車体の天井骨組とに設けられた本固定手段と、を備え、
前記仮固定手段により前記ルームランプと前記天井トリムとが相互に仮固定され、前記本固定手段により前記ルームランプと前記天井骨組とが相互に本固定されることにより、前記天井骨組に前記ルームランプと前記天井トリムとが同時に固定されるルームランプの固定構造において、
前記本固定手段は、前記ルームランプに設けられたスプリング及びストッパーと、前記天井骨組に設けられた固定部とからなり、
前記スプリングは、
前記固定部に弾性係合当接することにより前記ルームランプと前記天井骨組とが相互に本固定される爪部と、
前記スプリングの通常状態乃至前記爪部が前記固定部に弾性係合当接した状態の第１状態と、前記スプリングが前記ストッパーに当たった状態の第２状態との間を、第１支点を回動中心として弾性変形する第１弾性変形部と、
前記第２状態と、前記爪部が前記固定部に対して出し入れ可能な状態の第３状態との間を、第２支点を回動中心として弾性変形する第２弾性変形部と、
前記第１弾性変形部及び前記第２弾性変形部を弾性変形させるための操作部と、
を有し、
前記爪部と前記固定部との間には、位置ずれを吸収するためのクリアランスが設けられている、
ことを特徴とする。
【０００６】
この結果、本発明のルームランプの固定構造は、まず、自動車の組立ラインに乗せる前に、仮固定手段で、ルームランプと天井トリムとを仮固定し、次いで、この仮固定されたルームランプと天井トリム（天井サブＡＳＳＹ）を自動車の組立ラインに乗せて、本固定手段で、天井骨組にルームランプを本固定することにより、自動車の組立ラインにおいて、天井骨組に天井トリムとルームランプとを同時に固定することができるので、自動車の組立ラインにおける組立作業の工数の低減化が図られる。
【０００７】
そして、本発明のルームランプの固定構造は、第１支点及び第２支点の２個の支点と、第１弾性変形部及び第２弾性変形部の２個の弾性変形部とにより、ルームランプ及び天井トリムの天井骨組に対する取付、取り外しが簡単である。すなわち、スプリングが第１状態にあるときに、操作部を操作すると、第１弾性変形部及び第２弾性変形部が第１支点及び第２支点を回動中心としてそれぞれ弾性変形して、第１状態にあるスプリングが第２状態を経て第３状態となる。このスプリングが第３状態にあるときにおいて、爪部を固定部にセットしたり、又は、爪部を固定部から外したりすることが簡単にできる。また、爪部を固定部にセットしたり、又は、爪部を固定部から外したりした状態において、上述の操作部の操作を止めると、第１弾性変形部及び第２弾性変形部が第１支点及び第２支点を回動中心としてそれぞれ弾性復帰して、第３状態にあるスプリングが第２状態を経て第１状態となり、爪部が固定部に弾性係合当接してルームランプと天井トリムとが天井骨組に同時に固定されたり、又は、スプリングが通常状態となってルームランプと天井トリムとが天井骨組から同時に取り外したりすることができる。このように、ルームランプ及び天井トリムの天井骨組に対する取付、取り外しが簡単である。
【０００８】
しかも、爪部と固定部との間に設けられたクリアランスにより、その爪部と固定部との間の位置ずれを吸収することができるので、本固定手段の寸法誤差を吸収することができる。
【０００９】
【発明の実施の形態】
以下、本発明のルームランプの固定構造の一実施形態を添付図面を参照して説明する。
図において、１はルームランプである。このルームランプ１は、図５、図７乃至図１１に示すように、ランプハウジング１０と、レンズ１１と、切替操作ノブ１２と、光源バルブ１３とから構成されている。
【００１０】
上述の合成樹脂等の絶縁性部材からなるランプハウジング１０には、図７乃至図９に示すように、後述する本固定手段の５の２個のスプリング５０と、光源バルブ１３を着脱可能に保持する２個のホルダ部１４０と、電源側のコネクタのコネクタターミナル（図示せず、自動車のバッテリー等の電源と、ドアの開閉に連動する電源と、アースとがそれぞれ電気的に接続されたコネクタのコネクタターミナル）と電気的にかつ着脱可能に接続する３個のコネクタターミナル部１４１と、切替操作ノブ１２の可動接点ボール１２０の切替により相互に電気的に接続して後述する所定の電気回路を構成する３個の固定接点部１４２と、前記ホルダ部１４０、前記コネクタターミナル部１４１、固定接点部１４２間を配線する配線部と、シェード部及び又は反射板部（図示せず）とが、それぞれインサート成形により一体に設けられている。
【００１１】
上述の２個のスプリング５０、２個のホルダ部１４０、３個のコネクタターミナル部１４１、３個の固定接点部１４２、配線部、シェード部及び又は反射板部は、インサート成形前においては弾性及び導電性を有する複数の金属板１４にそれぞれ構成されていて、インサート成形後に打ち抜き加工等により、それぞれ形成されるものである。
なお、上述の２個のスプリング５０及びその他の部品は、上述のようにランプハウジング１０にインサート成形により一体に設けているが、ランプハウジング１０と別体のものをランプハウジング１０の成形後に、熱加締め、差込、接着等々によりランプハウジング１０に取り付けても良い。
【００１２】
また、図１１に示すように、前記ルームランプ１のランプハウジング１０の周辺部のパーティングラインＰ．Ｌ上には、当接爪１００が一体に設けられている。この当接爪１００は、後述する天井トリム２の凹部２２の周辺部の被覆材２１に食い込んで当接して、ルームランプ１と天井トリム２との間の隙間をなくすものである。
さらに、図８及び図９に示すように、前記ルームランプ１のランプハウジング１０の上面（ルームランプ１が車内の天井に固定された際の上面）であって、対角線上の離れた箇所には、断面ほぼへの字形状の２個の弾性当接部１０１がそれぞれ一体に設けられている。この弾性当接部１０１は、後述する仮固定手段４によるルームランプ１と天井トリム２との相互仮固定状態を確固とするものである。
【００１３】
上述のレンズ１１は、図５、図７乃至図１１に示すように、ランプハウジング１０の下面に着脱可能に取り付けられている。また、上述の切替操作ノブ１２は、図５及び図７に示すように、ランプハウジング１０の下面にスクリュウ１２１により回転可能に取り付けられている。この切替操作ノブ１２のノブ端部１２２がレンズ１１から外部に突出しており、一方、この切替操作ノブ１２のノブ端部１２２と反対側の端部には上述の可動接点ボール１２０がコイルスプリング１２３を介して取り付けられている。さらに、上述の光源バルブ１３は、同じく図７に示すように、ホルダ部１４０に着脱可能に保持されている。
【００１４】
そして、図５に示すように、切替操作ノブ１２が「ＯＦＦ」に位置している場合には、電気回路がＯＦＦの状態にあり、光源バルブ１３は消灯状態にある。この切替操作ノブ１２を「ＯＮ」に切り替えると、電気回路がＯＮの状態となり、光源バルブ１３は点灯状態となる。また、この切替操作ノブ１２を「ＤＯＯＲ」に切り替えると、電気回路がドアを介して形成された状態となり、この状態において、ドアが閉じていれば、電気回路がＯＦＦの状態にあり、光源バルブ１３は消灯状態にあり、一方、ドアが開くと、電気回路がＯＮの状態となり、光源バルブ１３は点灯状態となる。このように、切替操作ノブ１２を切替操作することにより、可動接点ボール１２０が切り替わって上述の所定の電気回路が構成されることとなる。
【００１５】
図において、２は天井トリムである。この天井トリム２は、図１乃至図４（Ｂ）、図６乃至図１１に示すように、自動車の室内の天井に張設されるものであって、例えば発泡ウレタン等の基材２０と、この基材２０の下面に張設された例えばフェルト等の被覆材２１とからなる。この天井トリム２のうち上述のルームランプ１がセットされる箇所には、ルームランプ収容用の凹部２２が上方に窪ませて設けられている。また、この天井トリム２の凹部２２の底部には、開口部２３が設けられている。この開口部２３の縁には、後述する２個のスプリング５０と後述する天井骨組３の２個の固定部５１との固定を妨げないように、四角形の切り込み２４がそれぞれ設けられている（図６参照。なお、図６において、一点鎖線はルームランプ１を、二点鎖線は天井トリム２を、実線は天井骨組３を、それぞれ示す）。
【００１６】
図において、３は車体の天井骨組である。天井骨組３は、図１乃至図４（Ａ）、図６乃至図１０に示すように、プレス加工等により、中間部の上方に窪ませた凹部３０と、左右両側の水平部３１とがそれぞれ長手方向に延設されている。この天井骨組３の水平部３１には、後述する仮固定手段４により仮固定されたルームランプ１と天井トリム２とを天井骨組３に本固定する際に、後述する仮固定手段４の２個の係合爪４０と天井骨組３とが相互に干渉しないように、四角形の切り込み３２が設けられている（図６参照）。
【００１７】
前記ルームランプ１と前記天井トリム２とには、図１乃至図６、図８乃至図１０に示すように、そのルームランプ１と天井トリム２とが相互に仮固定される仮固定手段４が設けられている。この仮固定手段４は、ルームランプ１側に設けた係合爪４０と、天井トリム２側に設けた係合部４１と、その係合爪４０と係合部４１との間に設けられた位置ずれ吸収用のクリアランスＧ２とからなる。この仮固定手段４は、切替操作ノブ１２の近傍の箇所と、やや離れた箇所との２箇所に設けられている。
【００１８】
前記係合部４１は、天井トリム２に設けられた小四角形の透孔２５の縁からなる。
一方、前記係合爪４０は、ランプハウジング１０の上面から上方に一体に突設されたランス形状の爪からなり、この係合爪４０を前記係合部４１に係合させる際に、天井トリム２の透孔２５の縁が弾性変形して係合部４１に容易にかつ確実に係合できるように構成されている。また、この係合爪４０は、図８及び図９に示すように、上述の天井トリム２側の係合部４１に対して寸法Ｆ２のラップ量を有する。このラップ量Ｆ２は、仮固定手段４により、相互に仮固定されたルームランプ１と天井トリム２とが天井骨組３に本固定するまでの間に容易に脱落しない程度の仮固定力が得られるものとする。なお、図８及び図９において、符号４２は、ランプハウジング１０に係合爪４０を一体に突設成形する際に、成形金型の抜き用の透孔である。
【００１９】
前記ルームランプ１と前記天井骨組３とには、図１乃至図６、図８乃至図１０に示すように、前記仮固定手段４により前記天井トリム２に仮固定された前記ルームランプ１と前記天井骨組３とが本固定される本固定手段５が設けられている。この本固定手段５は、ルームランプ１側に設けたスプリング５０及びストッパー５２と、天井骨組３側に設けた固定部５１とからなる。また、この本固定手段５は、切替操作ノブ１２の近傍の箇所と、その箇所と対角線上に離れた箇所との２箇所に設けられている。
【００２０】
前記固定部５１は、前記天井骨組３の切り込み３２の縁からなる。また、前記ストッパー５２は、前記ルームランプ１のランプハウジング１０に一体に設けてなるものである。
一方、前記スプリング５０は、前記金属板１４と一体のものであって、前記ルームランプ１のランプハウジング１０にインサート成形により一体に設けられている。このスプリング５０は、図１乃至図５、図８乃至図１０、図１２乃至図１７に示すように、ランプハウジング１０に水平に埋設された埋設部５００と、その埋設部５００から斜め上方にくの字形状若しくはへの字形状に折り曲げられてなる第１弾性変形部５０１及びリブ５０３と、その第１弾性変形部５０１から斜め下方に逆Ｕ字形状に折り曲げられてなる第２弾性変形部５０２と、その第２弾性変形部５０２からほぼ水平に折り曲げてなる爪部５０４と、その爪部５０４から下方にくの字形状に折り曲げてなる操作部５０５とから構成されている。
【００２１】
すなわち、このスプリング５０は、
前記固定部５１に弾性係合当接することにより前記ルームランプ１と前記天井骨組３とが相互に本固定される爪部５０４と、
前記スプリング５０の通常状態（図１２に示す状態）乃至前記爪部５０４が前記固定部５１に弾性係合当接した状態（１７に示す状態）の第１状態と、前記スプリング５０が前記ストッパー５２に当たった状態（図１３及び図１６に示す状態）の第２状態との間を、第１支点Ｏ１を回動中心として弾性変形する第１弾性変形部５０１と、
前記第２状態と、前記爪部５０４が前記固定部５１に対して出し入れ可能な状態（図１４及び図１５に示す状態）の第３状態との間を、第２支点Ｏ２を回動中心として弾性変形する第２弾性変形部５０２と、
前記第１弾性変形部５０１及び前記第２弾性変形部５０２を弾性変形させるための操作部５０５と、
を有する。
【００２２】
前記爪部５０４は、図１７に示すように、上述の天井骨組３側の固定部５１に対して寸法Ｆ１のラップ量を有する。また、前記爪部５０４と前記固定部５１との間には、同じく図１７に示すように、位置ずれを吸収するためのクリアランスＧ１が設けられている。
【００２３】
この実施形態における本発明のルームランプの固定構造は、以上の如き構成からなり、以下、ルームランプの固定作業について説明する。
まず、自動車の組立ラインに乗せる前において、ルームランプ１側の係合爪４０を天井トリム２側の係合部４１に係合させて、ルームランプ１と天井トリム２とを仮固定手段４（係合爪４０、係合部４１）により、仮固定させる。
このとき、係合爪４０と係合部４１とはラップ量Ｆ２で係合しており、かつ、係合爪４０と係合部４１との間、すなわち、係合爪４０の背面と透孔２５の縁との間には、位置ずれを吸収するためのクリアランスＧ２が形成されている。なお、上述のラップ量Ｆ２の方がクリアランスＧ２よりも大である。また、ルームランプ１は、天井トリム２の凹部２２に収容され、かつ、ルームランプ１の当接爪１００が天井トリム２の凹部２２の被覆材２１に当接し、その上、ルームランプ１の弾性当接部１０１が天井トリム２の凹部２２の底部に弾性当接する。この結果、係合爪４０と係合部４１との係合状態が確固となり、しかも、ルームランプ１と天井トリム２との間が隙間なく密着される。一方、本固定手段５のスプリング５０は、天井トリム２の切り込み２４に位置する（図１、図２、図８乃至図１０参照）。
【００２４】
そして、仮固定手段４により仮固定されたルームランプ１と天井トリム２との天井サブＡＳＳＹを、自動車の組立ラインに乗せる。この自動車の組立ラインにおいて、ルームランプ１側のスプリング５０を天井骨組３側の固定部５１に弾性係合当接させて、ルームランプ１と天井トリム２とを天井骨組３に本固定手段５（スプリング５０、固定部５１）により、本固定させる。このとき、天井骨組３の切り込み３２により、係合爪４０は、天井骨組３の水平部３１に干渉しない（図２、図３、図８乃至図１０参照）。
【００２５】
このように、この実施形態における本発明のルームランプの固定構造は、自動車の組立ラインにおいて、天井骨組３に天井トリム２とルームランプ１とを同時に固定することができるので、自動車の組立ラインにおける組立作業の工数の低減化が図られる。
【００２６】
特に、この実施形態における本発明のルームランプの固定構造は、第１支点Ｏ１及び第２支点Ｏ２の２個の支点と、第１弾性変形部５０１及び第２弾性変形部５０２の２個の弾性変形部とにより、ルームランプ１及び天井トリム２の天井骨組３に対する取付、取り外しが簡単である。
【００２７】
すなわち、図１２に示すように、スプリング５０が通常状態（第１状態）にあるときに、操作部５０５を実線矢印Ａ１方向（下方から上方）に操作する。すると、第１弾性変形部５０１が第１支点Ｏ１を回動中心として実線矢印Ａ３方向（反時計方向）に弾性変形し、それに伴って、図１２中の破線にて示すように、爪部５０４と第２弾性変形部５０２との間の角部が第１支点Ｏ１を回動中心として実線矢印Ａ２方向（反時計方向）に移動する。
【００２８】
次に、図１３に示すように、第１弾性変形部５０１が弾性変形して、その第１弾性変形部５０１がスプリング５０のリブ５０３を介してストッパー５２に当たった状態（第２状態）となったときに、操作部５０５を実線矢印Ｂ１方向（左方向）に操作する。すると、第２弾性変形部５０２が第２支点Ｏ２を回動中心として実線矢印Ｂ２方向（時計方向）に弾性変形し、それに伴って、図１３中の破線にて示すように、爪部５０４と第２弾性変形部５０２との間の角部が第２支点Ｏ２を回動中心として同じく実線矢印Ｂ２方向（時計方向）に移動する。
【００２９】
それから、図１４に示すように、第２弾性変形部５０２が弾性変形して、爪部５０４が固定部５１に対してセット可能な状態、すなわち、天井骨組３の切り込み３２に対して挿入可能な状態（第３状態）となったときに、その第３状態を保ったままの状態で、爪部５０４を固定部５１に実線矢印Ｃ１方向にセットする。
【００３０】
ついで、図１５に示すように、爪部５０４が固定部５１にセットされた状態のときに、操作部５０５の操作を止めると、第２弾性変形部５０２が第２支点Ｏ２を回動中心として実線矢印Ｄ２方向（反時計方向）に元の状態（図１３に示す状態）に弾性復帰し、それに伴って、第２弾性変形部５０２と爪部５０４との間の角部が同方向に移動すると共に、操作部５０５が実線矢印Ｄ１方向（反時計方向）に移動する。
【００３１】
さらに、図１６に示すように、第１弾性変形部５０１が第１支点Ｏ１を回動中心として実線矢印Ｅ３方向（時計方向）に元の状態（図１２に示す状態）に弾性復帰し、それに伴って、第２弾性変形部５０２と爪部５０４との間の角部が第１支点Ｏ１を回動中心として実線矢印Ｅ２方向（時計方向）に移動すると共に、操作部５０５が実線矢印Ｅ１方向（上方から下方）に移動する。
【００３２】
そして、図１７に示すように、スプリング５０の爪部５０４が固定部５１に、ラップ量Ｆ１で弾性係合当接した状態（第１状態）となり、この結果、ルームランプ１と天井トリム２とが天井骨組３に同時に本固定されることとなる。このとき、爪部５０４と固定部５１との間、すなわち、スプリング５０の爪部５０４と操作部５０５との間の垂直部と、固定部５１の端部との間には、位置ずれを吸収するためのクリアランスＧ１が形成されている。なお、上述のラップ量Ｆ１の方がクリアランスＧ１よりも大である。
【００３３】
また、ルームランプ１及び天井トリム２を天井骨組３から取り外す場合は、図１７に示すように、爪部５０４が固定部５１に弾性係合当接した状態（第１状態）にあるときに、操作部５０５を破線矢印Ａ１方向（下方から上方）に操作する。すると、第１弾性変形部５０１が第１支点Ｏ１を回動中心として破線矢印Ａ３方向（反時計方向）に弾性変形し、それに伴って、爪部５０４と第２弾性変形部５０２との間の角部が第１支点Ｏ１を回動中心として破線矢印Ａ２方向（反時計方向）に移動する。
【００３４】
次に、図１６に示すように、第１弾性変形部５０１が弾性変形して、その第１弾性変形部５０１がスプリング５０のリブ５０３を介してストッパー５２に当たった状態（第２状態）となったときに、操作部５０５を破線矢印Ｂ１方向（左方向）に操作する。すると、第２弾性変形部５０２が第２支点Ｏ２を回動中心として破線矢印Ｂ２方向（時計方向）に弾性変形し、それに伴って、爪部５０４と第２弾性変形部５０２との間の角部が第２支点Ｏ２を回動中心として同じく破線矢印Ｂ２方向（時計方向）に移動する。
【００３５】
それから、図１５に示すように、第２弾性変形部５０２が弾性変形して、爪部５０４が固定部５１に対してセット可能な状態、すなわち、天井骨組３の切り込み３２に対して抜き出し可能な状態（第３状態）となったときに、その第３状態を保ったままの状態で、爪部５０４を固定部５１から破線矢印Ｃ２方向に抜き出す。
【００３６】
ついで、図１４に示すように、爪部５０４が固定部５１から抜き出された状態のときに、操作部５０５の操作を止めると、第２弾性変形部５０２が第２支点Ｏ２を回動中心として破線矢印Ｄ２方向（反時計方向）に元の状態（図１６に示す状態）に弾性復帰し、それに伴って、第２弾性変形部５０２と爪部５０４との間の角部が同方向に移動すると共に、操作部５０５が破線矢印Ｄ１方向（反時計方向）に移動する。
【００３７】
さらに、図１３に示すように、第１弾性変形部５０１が第１支点Ｏ１を回動中心として破線矢印Ｅ３方向（時計方向）に元の状態（図１７に示す状態）に弾性復帰し、それに伴って、第２弾性変形部５０２と爪部５０４との間の角部が第１支点Ｏ１を回動中心として破線矢印Ｅ２方向（時計方向）に移動すると共に、操作部５０５が破線矢印Ｅ１方向（上方から下方）に移動する。
【００３８】
そして、図１２に示すように、スプリング５０が通常状態（第１状態）となり、この結果、ルームランプ１と天井トリム２とが天井骨組３から取り外されることとなる。
【００３９】
このように、ルームランプ１及び天井トリム２の天井骨組３に対する取付、取り外しが簡単である。なお、上述の第１弾性変形部５０１及び第２弾性変形部５０２の第１支点Ｏ１及び第２支点Ｏ２を回動中心とする弾性変形や弾性復帰の軌跡は、図１２乃至図１７に示すように、それぞれ別個に図示されているが、実際には複合されたものと思われる。
【００４０】
しかも、この実施形態における本発明のルームランプの固定構造は、ルームランプ１側の爪部５０４と天井骨組３側の固定部５１との間に設けられたクリアランスＧ１により、その爪部５０４と固定部５１との間の位置ずれを吸収することができるので、本固定手段５の寸法誤差、例えば、ルームランプ１側と天井骨組３側との間に位置ずれ（ルームランプ１の長手方向、短手方向、上下軸回り方向の位置ずれ）を十分に吸収できるので、その分、ルームランプ１と天井トリム２とを天井骨組３に確実に固定することができる。
【００４１】
特に、この実施形態においては、第１支点Ｏ１及び第２支点Ｏ２の２個の支点と、第１弾性変形部５０１及び第２弾性変形部５０２の２個の弾性変形部とにより、ルームランプ１及び天井トリム２を天井骨組３に対して、取り付けたり、取り外したりするものであるから、各支点Ｏ１、Ｏ２における第１弾性変形部５０１、第２弾性変形部５０２の回動距離が小であっても、第２弾性変形部５０２と爪部５０４との間の角部の移動距離を大とすることができる。この結果、第１弾性変形部５０１、第２弾性変形部５０２の回動スペースを小さくすることができ、その分、天井骨組３、すなわち車体を小型化することができる。一方、爪部５０４と固定部５１との弾性係合当接するラップ量Ｆ１を大きくすることができ、その分、ルームランプ１及び天井トリム２と天井骨組３との本固定状態が安定する。
【００４２】
また、この実施形態においては、図５に示すように、１個の仮固定手段４と１個の本固定手段５とが切替操作ノブ１２近傍に設けられているので、その仮固定手段４、本固定手段５と切替操作ノブ１２との間の回転モーメントの腕の長さが小となり、その分、切替操作ノブ１２の切替操作時の衝撃に対して、ルームランプ１、天井トリム２、天井骨組３の相互の固定状態は十分に耐え得ることができる。
【００４３】
さらに、この実施形態においては、同じく図５に示すように、２個の本固定手段５は、長方形形状（下若しくは上から見て長方形形状）のルームランプ１のほぼ対角線上に位置するので、ルームランプ１の長手方向の軸回り、短手方向の軸回りのがた（首振り）を確実に防止できる。なお、本発明のルームランプの固定構造においては、２個の本固定手段５を短手軸方向、又は長手軸方向に上に位置させても良い。
【００４４】
さらにまた、この実施形態においては、図８及び図９に示すように、ルームランプ１側の係合爪４０と天井トリム２側の係合部４１との間に設けられたクリアランスＧ２により、その係合爪４０と係合部４１との間の位置ずれを吸収することができるので、仮固定手段４の寸法誤差、例えば、ルームランプ１側と天井トリム２側との間に位置ずれ（ルームランプ１の長手方向、短手方向、上下軸回り方向の位置ずれ）を十分に吸収できるので、その分、ルームランプ１と天井トリム２とを相互にに確実に仮固定することができる。
【００４５】
なお、図１乃至図３において、手前側の仮固定手段４及び本固定手段５が図示されており、向こう側の仮固定手段４及び本固定手段５は図示されていない。また、上述の天井トリム２は、天井骨組３に対して、上述のルームランプ１の本固定手段５以外の固定手段により固定される場合がある。この固定手段としては、例えば、マップランプの固定手段、室内後方の左右両側のランプの固定手段、天井握り部材の固定手段等々がある。
【００４６】
【発明の効果】
以上から明らかなように、本発明のルームランプの固定構造は、第１支点及び第２支点の２個の支点と、第１弾性変形部及び第２弾性変形部の２個の弾性変形部とにより、ルームランプ及び天井トリムの天井骨組に対する取付、取り外しが簡単である。しかも、本発明のルームランプの固定構造は、爪部と固定部との間に設けられたクリアランスにより、その爪部と固定部との間の位置ずれを吸収することができるので、本固定手段の寸法誤差を吸収することができる。
【図面の簡単な説明】
【図１】本発明のルームランプの固定構造の一実施形態を示し、ルームランプと天井トリムと天井骨組との固定前の状態を示した縦断面図である。
【図２】ルームランプと天井トリムとの仮固定状態を示した縦断面図である。
【図３】ルームランプ、天井トリムと天井骨組との本固定状態を示した縦断面図である。
【図４】（Ａ）は図１におけるＩＶ（Ａ）矢視図（下面図）、（Ｂ）は図１におけるＩＶ（Ｂ）矢視図（下面図）、（Ｃ）は図１におけるＩＶ（Ｃ）矢視図（下面図）である。
【図５】図３におけるＶ矢視図（下面図）である。
【図６】ルームランプ、天井トリム、天井骨組、仮固定手段、本固定手段の相対位置関係を示した図３におけるＶ矢視図（下面図）である。
【図７】図５におけるＶＩＩ−ＶＩＩ線断面図である。
【図８】図５におけるＶＩＩＩ−ＶＩＩＩ線断面図である。
【図９】図５におけるＩＸ−ＩＸ線断面図である。
【図１０】図５におけるＸ−Ｘ線断面図である。
【図１１】図１０におけるＸＩ部の拡大断面図である。
【図１２】スプリングが通常状態（第１状態）にあるときに操作部を操作した状態の拡大側面図である。
【図１３】第１弾性変形部が弾性変形してスプリングがストッパーに当たった状態（第２状態）にあるときにさらに操作部を操作した状態の拡大側面図、又は、第１弾性変形部が図１２の第１状態に弾性復帰する状態にあるときの拡大側面図である。
【図１４】第２弾性変形部が弾性変形して爪部が固定部に対してセット可能な状態（第３状態）にあるときの拡大側面図、又は、第２弾性変形部が図１３の第２状態に弾性復帰する状態にあるときの拡大側面図である。
【図１５】爪部が固定部にセットされた状態で操作部の操作を止めて第２弾性変形部が弾性復帰する状態にあるときの拡大側面図、又は、第２弾性変形部が弾性変形して爪部が固定部に対して抜き出し可能な状態（第３状態）にあるときの拡大側面図である。
【図１６】操作部の操作を止めて第１弾性変形部が弾性復帰する状態にあるときの拡大側面図、又は、第１弾性変形部が弾性変形してスプリングがストッパーに当たった状態（第２状態）にあるときにさらに操作部を操作した状態の拡大側面図である。
【図１７】爪部が固定部に弾性係合当接している状態（第１状態）にあるときに操作部を操作した状態の拡大側面図である。
【符号の説明】
１…ルームランプ、１０…ランプハウジング、１００…当接爪、１０１…弾性当接部、１１…レンズ、１２…切替操作ノブ、１２０…可動接点ボール、１２１…すくりゅう、１２２…ノブ端部、１２３…スプリング、１３…光源バルブ、１４…金属板、１４０…ホルダ部、１４１…コネクタターミナル部、１４２…固定接点部、２…天井トリム、２０…基材、２１…被覆材、２２…凹部、２３…開口部、２４…切り込み、２５…透孔、３…天井骨組、３０…凹部、３１…水平部、３２…切り込み、４…仮固定手段、４０…係合爪、４１…係合部、Ｆ２…ラップ量、Ｇ２…クリアランス、５…本固定手段、５０…スプリング、５００…埋設部、５０１…第１弾性変形部、５０２…第２弾性変形部、５０３…リブ、５０４…爪部、５０５…操作部、５１…固定部、５２…ストッパー、Ｆ１…ラップ量、Ｇ１…クリアランス、Ｏ１…第１支点、Ｏ２…第２支点。
【図１】
0004103265.tif 000002
【図２】
0004103265.tif 000003
【図３】
0004103265.tif 000004
【図４】
0004103265.tif 000005
【図５】
0004103265.tif 000006
【図６】
0004103265.tif 000007
【図７】
0004103265.tif 000008
【図８】
0004103265.tif 000009
【図９】
0004103265.tif 000010
【図１０】
0004103265.tif 000011
【図１１】
0004103265.tif 000012
【図１２】
0004103265.tif 000013
【図１３】
0004103265.tif 000014
【図１４】
0004103265.tif 000015
【図１５】
0004103265.tif 000016
【図１６】
0004103265.tif 000017
【図１７】
0004103265.tif 000018